【手続補正書】
【提出日】平成24年9月25日(2012.9.25)
【手続補正１】
【補正対象書類名】明細書
【補正対象項目名】００１３
【補正方法】変更
【補正の内容】
【００１３】
本発明の目的を達成するために、例えば、本発明の情報処理装置は、以下の構成を備える。即ち、情報処理装置と、当該情報処理装置とデータ通信が可能な１以上の端末装置と、で構成されている情報処理システムであって、前記情報処理装置は、前記端末装置から送信されたウィンドウ画面の画面情報を受信する受信手段と、前記画面情報に基づくウィンドウ画面を表示する第１の表示手段と、前記ウィンドウ画面に対するサイズ変更操作を検知する検知手段と、前記サイズ変更操作によって最終的に決定したウィンドウサイズを前記端末装置に送信する第１の送信手段とを備え、前記端末装置は、ウィンドウ画面を表示する第２の表示手段と、前記第２の表示手段が表示しているウィンドウ画面のうち、前記情報処理装置と共有するために選択されたウィンドウ画面の画面情報を前記情報処理装置に送信する第２の送信手段と、前記第１の送信手段が送信した前記ウィンドウサイズを受信すると、当該ウィンドウサイズに応じて前記選択されたウィンドウ画面を変倍する変倍手段とを備えることを特徴とする。
【手続補正２】
【補正対象書類名】明細書
【補正対象項目名】００３６
【補正方法】変更
【補正の内容】
【００３６】
図３（ａ）において画面４００は、プロジェクションデバイス１０１に表示される画面の一例であり、係る画面４００内には、画面共有アプリケーションが動作することで表示されるウィンドウ（画面共有アプリケーションウィンドウ）４０１が配される。画面共有アプリケーションウィンドウ４０１内には、領域（共有ウィンドウ領域）４０２，４０７が設けられている。共有ウィンドウ領域４０２内には、一方の端末装置１１０（第１の端末装置）と共有するウィンドウ４０３を表示する（第１の表示）。共有ウィンドウ領域４０７内には、他方の端末装置１１０（第２の端末装置）と共有するウィンドウ４０５を表示する。然るに、情報処理装置１００が複数台の端末装置１１０とウィンドウを共有する場合には、画面共有アプリケーションウィンドウ４０１内には、それぞれの端末装置１１０に対応する共有ウィンドウ領域が設けられることになる。そして、それぞれの共有ウィンドウ領域内には、対応する端末装置１１０と共有するウィンドウを表示することになる。これにより、画面共有アプリケーションウィンドウ４０１内には、それぞれの端末装置１１０と共有するウィンドウが一覧表示される。
【手続補正３】
【補正対象書類名】明細書
【補正対象項目名】００３８
【補正方法】変更
【補正の内容】
【００３８】
図３（ｃ）において４２０は、第２の端末装置が有する表示部３０５に表示される画面の一例であり、係る画面４２０内には、ウィンドウ４２１が配置されている。ここで、ウィンドウ４２１は共有選択されたウィンドウであるとする。従ってこの場合、ウィンドウ４２１が、上記共有ウィンドウ領域４０７内にウィンドウ４０５として表示されることになる。
【手続補正４】
【補正対象書類名】特許請求の範囲
【補正対象項目名】全文
【補正方法】変更
【補正の内容】
【特許請求の範囲】
【請求項１】
情報処理装置と、当該情報処理装置とデータ通信が可能な１以上の端末装置と、で構成されている情報処理システムであって、
前記情報処理装置は、
前記端末装置から送信されたウィンドウ画面の画面情報を受信する受信手段と、
前記画面情報に基づくウィンドウ画面を表示する第１の表示手段と、
前記ウィンドウ画面に対するサイズ変更操作を検知する検知手段と、
前記サイズ変更操作によって最終的に決定したウィンドウサイズを前記端末装置に送信する第１の送信手段と
を備え、
前記端末装置は、
ウィンドウ画面を表示する第２の表示手段と、
前記第２の表示手段が表示しているウィンドウ画面のうち、前記情報処理装置と共有するために選択されたウィンドウ画面の画面情報を前記情報処理装置に送信する第２の送信手段と、
前記第１の送信手段が送信した前記ウィンドウサイズを受信すると、当該ウィンドウサイズに応じて前記選択されたウィンドウ画面を変倍する変倍手段と
を備えることを特徴とする情報処理システム。
【請求項２】
前記受信手段は、それぞれの端末装置から画面情報を受信し、
前記第１の表示手段は、前記受信手段が受信したそれぞれの画面情報に基づくウィンドウ画面を一覧表示し、
前記第１の送信手段は、サイズ変更操作がなされたウィンドウ画面を送信した端末装置に対して、該サイズ変更操作によって最終的に決定したウィンドウサイズを送信する
ことを特徴とする請求項１に記載の情報処理システム。
【請求項３】
前記第２の送信手段は更に、前記第２の表示手段の表示画面のサイズを示すサイズ情報を前記情報処理装置に送信し、
前記情報処理装置は更に、前記第１の表示手段が表示する画面上に前記サイズ情報が示すサイズを示す枠を表示し、前記サイズ変更操作を、当該枠の中でのみ行う手段を備えることを特徴とする請求項１又は２に記載の情報処理システム。
【請求項４】
前記第１の送信手段は、前記サイズ変更操作の最中のウィンドウサイズを前記端末装置に送信し、
前記変倍手段は、前記第１の送信手段が送信したウィンドウサイズに応じて前記選択されたウィンドウ画面を変倍する
ことを特徴とする請求項１乃至３の何れか１項に記載の情報処理システム。
【請求項５】
端末装置側で表示されているウィンドウ画面を当該端末装置から受信して表示画面上に表示する情報処理装置であって、
前記表示画面上に表示されているウィンドウ画面に対するサイズ変更操作を検知する手段と、
前記サイズ変更操作によって最終的に決定したウィンドウサイズを、前記端末装置側で表示されているウィンドウ画面に対する変倍指示として前記端末装置に送信する手段と
を備えることを特徴とする情報処理装置。
【請求項６】
請求項５に記載の情報処理装置とデータ通信が可能な端末装置であって、
ウィンドウ画面を表示する表示手段と
前記表示手段が表示しているウィンドウ画面のうち、前記情報処理装置と共有するために選択されたウィンドウ画面の画面情報を前記情報処理装置に送信する手段と、
前記ウィンドウサイズを受信すると、当該ウィンドウサイズに応じて前記選択されたウィンドウ画面を変倍する手段と
を備えることを特徴とする端末装置。
【請求項７】
情報処理装置と、当該情報処理装置とデータ通信が可能な１以上の端末装置と、で構成されている情報処理システムの制御方法であって、
前記情報処理装置の受信手段が、前記端末装置から送信されたウィンドウ画面の画面情報を受信する受信工程と、
前記情報処理装置の第１の表示手段が、前記画面情報に基づくウィンドウ画面を表示する第１の表示工程と、
前記情報処理装置の検知手段が、前記ウィンドウ画面に対するサイズ変更操作を検知する検知工程と、
前記情報処理装置の第１の送信手段が、前記サイズ変更操作によって最終的に決定したウィンドウサイズを前記端末装置に送信する第１の送信工程と
を備え、
前記端末装置の第２の表示手段が、ウィンドウ画面を表示する第２の表示工程と、
前記端末装置の第２の送信手段が、前記第２の表示工程で表示しているウィンドウ画面のうち、前記情報処理装置と共有するために選択されたウィンドウ画面の画面情報を前記情報処理装置に送信する第２の送信工程と、
前記端末装置の変倍手段が、前記第１の送信工程で送信した前記ウィンドウサイズを受信すると、当該ウィンドウサイズに応じて前記選択されたウィンドウ画面を変倍する変倍工程と
を備えることを特徴とする情報処理システムの制御方法。
【請求項８】
端末装置側で表示されているウィンドウ画面を当該端末装置から受信して表示画面上に表示する情報処理装置の制御方法であって、
前記情報処理装置の検知手段が、前記表示画面上に表示されているウィンドウ画面に対するサイズ変更操作を検知する工程と、
前記情報処理装置の送信手段が、前記サイズ変更操作によって最終的に決定したウィンドウサイズを、前記端末装置側で表示されているウィンドウ画面に対する変倍指示として前記端末装置に送信する工程と
を備えることを特徴とする情報処理装置の制御方法。
【請求項９】
請求項５に記載の情報処理装置とデータ通信が可能な端末装置の制御方法であって、
前記端末装置の表示手段が、ウィンドウ画面を表示する表示工程と、
前記端末装置の送信手段が、前記表示工程で表示しているウィンドウ画面のうち、前記情報処理装置と共有するために選択されたウィンドウ画面の画面情報を前記情報処理装置に送信する工程と、
前記端末装置の変倍手段が、前記ウィンドウサイズを受信すると、当該ウィンドウサイズに応じて前記選択されたウィンドウ画面を変倍する工程と
を備えることを特徴とする端末装置の制御方法。
【請求項１０】
コンピュータを、請求項５に記載の情報処理装置の各手段として機能させるためのコンピュータプログラム。
【請求項１１】
コンピュータを、請求項６に記載の端末装置の各手段として機能させるためのコンピュータプログラム。